(57)【要約】【課題】  動物用排泄物処理材パッケージおよび動物用排泄物処理材収容容器に関する一層合理的な構築技術を提供する。【解決手段】  動物用排泄物処理材７００と、収容容器２００とを有する動物用排泄物処理材パッケージ１００であって、収容容器２００は、第１方向２００Ｙと、第１方向２００Ｙと交差する方向により規定される第２方向２００Ｘとに延在し、収容領域２１０に形成されるとともに第２方向２００Ｘの延在成分を有する分離隔壁３００を有する。【選択図】  図２
2014239668.tif 000002
【特許請求の範囲】
【請求項１】
粒状体により形成される動物用排泄物処理材と、前記動物用排泄物処理材を複数収容するための収容容器とを有する動物用排泄物処理材パッケージであって、
前記収容容器は、前記収容容器を載置した状態における上側方向と、前記収容容器を載置した状態における下側方向と、前記上側方向と前記下側方向とにより規定される第１方向と、当該第１方向と交差する方向により規定される第２方向とに延在し、
前記収容容器は、複数の前記動物用排泄物処理材を収容するための収容領域と、当該収容領域を形成する内壁部と、前記収容領域に形成されるとともに前記第２方向の延在成分を有する分離隔壁を有することを特徴とする動物用排泄物処理材パッケージ。
【請求項２】
請求項１に記載された動物用排泄物処理材パッケージであって、
前記分離隔壁は、前記内壁部とは接続されない端部である開放端部と、前記上側方向に位置する面である第１隔壁面と、前記第１隔壁面と対向する面である第２隔壁面と、前記内壁部に近接した端部である近接端部と、前記近接端部よりも前記内壁部から離間した端部である離間端部とを有し、
前記収容領域は、前記第１隔壁面上における領域である分離隔壁上領域と、当該分離隔壁上領域以外の領域である分離隔壁外領域とを有することを特徴とする動物用排泄物処理材パッケージ。
【請求項３】
請求項１または２に記載された動物用排泄物処理材パッケージであって、
前記動物用排泄物処理材は、前記分離隔壁上領域に配置される第１粒状体と、前記分離隔壁外領域に収容される第２粒状体とを有し、
前記第１粒状体の平均粒度は、前記第２粒状体の平均粒度よりも大きいことを特徴とする動物用排泄物処理材パッケージ。
【請求項４】
請求項１〜３のいずれか１項に記載された動物用排泄物処理材パッケージであって、
前記第１隔壁面は、前記第２方向の傾斜成分を有することを特徴とする動物用排泄物処理材パッケージ。
【請求項５】
請求項１〜４のいずれか１項に記載された動物用排泄物処理材パッケージであって、
前記第２隔壁面は、前記第２方向の傾斜成分を有することを特徴とする動物用排泄物処理材パッケージ。
【請求項６】
請求項１〜５のいずれか１項に記載された動物用排泄物処理材パッケージであって、
前記収容容器は、前記第２方向において前記近接端部よりも前記離間端部側の領域である第１収容容器領域と、前記第２方向において前記離間端部よりも前記近接端部側の領域である第２収容容器領域と、前記第２方向における中間点を含む領域である第３収容容器領域とを有することを特徴とする動物用排泄物処理材パッケージ。
【請求項７】
請求項１〜６のいずれか１項に記載された動物用排泄物処理材パッケージであって、
前記収容容器は、前記動物用排泄物処理材を取出すための開口部を有することを特徴とする動物用排泄物処理材パッケージ。
【請求項８】
請求項７に記載された動物用排泄物処理材パッケージにおいて、
前記開口部は、前記第１収容容器領域に形成されていることを特徴とする動物用排泄物処理材パッケージ。
【請求項９】
請求項７に記載された動物用排泄物処理材パッケージにおいて、
前記開口部は、前記第３収容容器領域に形成されていることを特徴とする動物用排泄物処理材パッケージ。
【請求項１０】
請求項１〜９のいずれか１項に記載された動物用排泄物処理材パッケージであって、
前記収容容器は、前記収容容器を把持するための把持部を有することを特徴とする動物用排泄物処理材パッケージ。
【請求項１１】
請求項１〜１０のいずれか１項に記載された動物用排泄物処理材パッケージであって、
前記分離隔壁は、複数個設けられることを特徴とする動物用排泄物処理材パッケージ。
【請求項１２】
粒状体により形成される動物用排泄物処理材を複数収容するための動物用排泄物処理材収容容器であって、
前記動物用排泄物処理材収容容器は、前記動物用排泄物処理材収容容器を載置した状態における上側方向と、前記動物用排泄物処理材収容容器を載置した状態における下側方向と、前記上側方向と前記下側方向とにより規定される第１方向と、当該第１方向と交差する方向により規定される第２方向とに延在し、
前記動物用排泄物処理材収容容器は、複数の前記動物用排泄物処理材を収容するための収容領域と、当該収容領域を形成する内壁部と、前記収容領域に形成されるとともに前記第２方向の延在成分を有する分離隔壁を有することを特徴とする動物用排泄物処理材収容容器。
【発明の詳細な説明】
【技術分野】
【０００１】
本発明は、動物用排泄物処理材パッケージおよび動物用排泄物処理材収容容器に関するものである。
【背景技術】
【０００２】
従来より、特に室内で飼育されるペットの排泄物処理には、粒状体により形成される動物用排泄物処理材が使用される。複数の動物用排泄物処理材と、それを収容する収容容器により動物用排泄物処理材パッケージが形成される。動物用排泄物処理材パッケージとして店頭にて販売されたり、ユーザにて保管される。この種の動物用排泄物処理材パッケージとしては、例えば、アメリカ特許第４４４８１５１号に示された構成のものが提案されている。
【０００３】
アメリカ特許第４４４８１５１号に示された動物用排泄物処理材パッケージは、二種類の異なる動物用排泄物処理材を収容容器に収容する。一方、この種の動物用排泄物処理材パッケージにおいては、工場から出荷され、店頭へ陳列され、そしてユーザに購入されるまでの工程において、種々の振動が加えられる。この結果、収容容器の下側には粒径の小さい動物用排泄物処理材が配置され、収容容器の上側には粒径の大きい動物用排泄物処理材が配置される結果となる。
【０００４】
このような状況において、特にユーザが複数回に分けて動物用排泄物処理材を使用する場合を想定する。収容容器から最初に取り出した動物用排泄物処理材と、次に取り出した排泄物処理材を比較すると、最初に取り出した動物用排泄物処理材の方が、平均粒径が大きくなる。通常、この種の動物用排泄物処理材は、ユーザによって任意の個数がプレート状の容器に移され、床などの載置対象に載置される。最初に取り出した動物用排泄物処理材と、次に取り出した動物用排泄物処理材とでは、平均粒径が異なるため、プレート状の容器に移された際の状況が異なる。
【０００５】
すなわち、次に取り出した動物用排泄物処理材は、最初に取り出した動物用排泄物処理材に比して、平均粒径が小さいため、複数の動物用排泄物処理材同士の間に形成される空間が少ないものとなる。したがって、最初に取り出した動物用排泄物処理材と、次に取り出した動物用排泄物処理材とでは、排泄物を吸収した際の状況が異なる結果となった。
【先行技術文献】
【特許文献】
【０００６】
【特許文献１】アメリカ特許第４４４８１５１号公報
【発明の概要】
【発明が解決しようとする課題】
【０００７】
本発明は、このような点に鑑みて創案されたものであり、動物用排泄物処理材パッケージおよび動物用排泄物処理材収容容器に関する一層合理的な構築技術を提供することを目的とする。
【課題を解決するための手段】
【０００８】
上記改題を解決するため、本発明に係る動物用排泄物処理材パッケージの好ましい形態によれば、動物用排泄物処理材パッケージは、粒状体により形成される動物用排泄物処理材と、動物用排泄物処理材を複数収容するための収容容器とを有する。
収容容器は、収容容器を載置した状態における上側方向と、収容容器を載置した状態における下側方向と、上側方向と下側方向とにより規定される第１方向と、当該第１方向と交差する方向により規定される第２方向とに延在される。
収容容器は、複数の前記動物用排泄物処理材を収容するための収容領域と、当該収容領域を形成する内壁部と、収容領域に形成されるとともに第２方向の延在成分を有する分離隔壁を有する。
【０００９】
本発明に係る動物用排泄物処理材パッケージのさらなる形態によれば、分離隔壁は、内壁部とは接続されない端部である開放端部と、上側方向に位置する面である第１隔壁面と、第１隔壁面と対向する面である第２隔壁面と、内壁部に近接した端部である近接端部と、近接端部よりも内壁部から離間した端部である離間端部とを有する。
また、収容領域は、第１隔壁面上における領域である分離隔壁上領域と、当該分離隔壁上領域以外の領域である分離隔壁外領域とを有する。
【００１０】
本発明に係る動物用排泄物処理材パッケージのさらなる形態によれば、動物用排泄物処理材は、分離隔壁上領域に配置される第１粒状体と、分離隔壁外領域に収容される第２粒状体とを有し、第１粒状体の平均粒度は、第２粒状体の平均粒度よりも大きく形成されている。
【００１１】
本発明に係る動物用排泄物処理材パッケージのさらなる形態によれば、第１隔壁面は、第２方向の傾斜成分を有する。
【００１２】
本発明に係る動物用排泄物処理材パッケージのさらなる形態によれば、第２隔壁面は、第２方向の傾斜成分を有する。
【００１３】
本発明に係る動物用排泄物処理材パッケージのさらなる形態によれば、収容容器は、第２方向において近接端部よりも離間端部側の領域である第１収容容器領域と、第２方向において離間端部よりも近接端部側の領域である第２収容容器領域と、第２方向における中間点を含む領域である第３収容容器領域とを有する。
【００１４】
本発明に係る動物用排泄物処理材パッケージのさらなる形態によれば、収容容器は、動物用排泄物処理材を取出すための開口部を有する。
【００１５】
本発明に係る動物用排泄物処理材パッケージのさらなる形態によれば、開口部は、第１収容容器領域に形成されている。
【００１６】
本発明に係る動物用排泄物処理材パッケージのさらなる形態によれば、開口部は、第３収容容器領域に形成されている。
【００１７】
本発明に係る動物用排泄物処理材パッケージのさらなる形態によれば、収容容器は、収容容器を把持するための把持部を有する。
【００１８】
本発明に係る動物用排泄物処理材パッケージのさらなる形態によれば、分離隔壁は、複数個設けられる。
【００１９】
上記改題を解決するため、本発明に係る動物用排泄物処理材の収容容器の好ましい形態によれば、動物用排泄物処理材の収容容器は、粒状体により形成される動物用排泄物処理材を複数収容するためのものである。
動物用排泄物処理材収容容器は、動物用排泄物処理材収容容器を載置した状態における上側方向と、動物用排泄物処理材収容容器を載置した状態における下側方向と、上側方向と下側方向とにより規定される第１方向と、当該第１方向と交差する方向により規定される第２方向とに延在する。
さらに、動物用排泄物処理材収容容器は、複数の前記動物用排泄物処理材を収容するための収容領域と、当該収容領域を形成する内壁部と、収容領域に形成されるとともに第２方向の延在成分を有する分離隔壁を有する。
【発明の効果】
【００２０】
本発明によれば、動物用排泄物処理材パッケージおよび動物用排泄物処理材収容容器に関する一層合理的な構築技術を提供することが可能となる。
【図面の簡単な説明】
【００２１】
【図１】本発明に係る動物用排泄物処理材パッケージの斜視図である。
【図２】本発明に係る動物用排泄物処理材パッケージの断面図である。
【図３】本発明に係る動物用排泄物処理材の斜視図である。
【図４】本発明に係る動物用排泄物処理材パッケージの説明図である。
【図５】本発明の第１変形例に係る動物用排泄物理材パッケージの説明図である。
【図６】本発明の第２変形例に係る動物用排泄物理材パッケージの説明図である。
【図７】本発明の第３変形例に係る動物用排泄物理材パッケージの説明図である。
【図８】本発明の第４変形例に係る動物用排泄物理材パッケージの説明図である。
【図９】本発明の第５変形例に係る動物用排泄物理材パッケージの説明図である。
【図１０】本発明の第６変形例に係る動物用排泄物理材パッケージの説明図である。
【図１１】本発明の第７変形例に係る動物用排泄物理材パッケージの説明図である。
【図１２】本発明の第８変形例に係る動物用排泄物理材パッケージの説明図である。
【図１３】本発明の第９変形例に係る動物用排泄物理材パッケージの説明図である。
【図１４】本発明の第１０変形例に係る動物用排泄物理材パッケージの説明図である。
【図１５】本発明の第１０変形例に係る動物用排泄物理材パッケージの説明図である。
【図１６】本発明の第１１変形例に係る動物用排泄物理材パッケージの説明図である。
【図１７】本発明の第１２変形例に係る動物用排泄物理材パッケージの説明図である。
【図１８】本発明の第１３変形例に係る動物用排泄物理材パッケージの説明図である。
【図１９】本発明の第１４変形例に係る動物用排泄物理材パッケージの説明図である。
【図２０】本発明の第１５変形例に係る動物用排泄物理材パッケージの説明図である。
【図２１】本発明の第１６変形例に係る動物用排泄物理材パッケージの説明図である。
【図２２】本発明の第１７変形例に係る動物用排泄物理材パッケージの説明図である。
【発明を実施するための最良の形態】
【００２２】
以下に、本発明に係る動物用排泄物処理材パッケージおよび動物用排泄物処理材収容容器を、図１〜図２２に基づき説明する。本実施の形態における「動物」は、脊椎動物（哺乳類、爬虫類、鳥類、両性類）や無脊椎動物を広く包含するが、典型的には、猫、犬、ウサギ、ハムスターなどといった愛玩動物がこれに該当する。
【００２３】
（実施形態）
本発明に係る動物用排泄物処理材パッケージおよび動物用排泄物処理材収容容器の実施形態を、図１〜図４に基づき説明する。
パッケージ１００は、粒状体により形成される動物用排泄物処理材７００と、動物用排泄物処理材７００を複数収容するための収容容器２００とにより形成される。このパッケージ１００が、本発明に係る「パッケージ」の一例である。この動物用排泄物処理材７００が、本発明に係る「動物用排泄物処理材」の一例である。この収容容器２００が、本発明に係る「収容容器」の一例である。
【００２４】
収容容器２００は、収容容器２００を載置した状態における上側方向２００Ｕと、収容容器２００を載置した状態における下側方向２００Ｄを規定する。収容容器２００は、上側方向２００Ｕと下側方向２００Ｄとにより規定される第１方向２００Ｙと、第１方向２００Ｙと交差する方向により規定される第２方向２００Ｘと、第１方向２００Ｙと第２方向２００Ｘの双方に交差する方向により規定される第３方向２００Ｚに延在される。この上側方向２００Ｕが、本発明に係る「上側方向」の一例である。この下側方向２００Ｄが、本発明に係る「下側方向」の一例である。この第１方向２００Ｙが、本発明に係る「第１方向」の一例である。この第２方向２００Ｘが、本発明に係る「第２方向」の一例である。なお、本発明において「交差する方向」とは、「直交する方向」を示すものである。
【００２５】
収容容器２００は、璧部２２０により形成される。璧部２２０は、内壁部２２１と、外壁部２２２とを有する。内壁部２２１は、複数の動物用排泄物処理材７００を収容するための収容領域２１０を形成する。収容領域２１０は、分離隔壁３００を有する。分離隔壁３００は、第２方向２００Ｘの延在成分を有する。この内壁部２２１が、本発明に係る「内壁部」の一例である。この収容領域２１０が、本発明に係る「収容領域」の一例である。この分離隔壁３００が、本発明に係る「分離隔壁」の一例である。
なお、本発明において「方向の延在成分」とは、その方向と平行な領域を含む概念である。
【００２６】
分離隔壁３００の構成を、図２に基づき説明する。図２は、図１のパッケージ１００を、第３方向２００Ｚの中心点を経由した、第１方向２００Ｙと第２方向２００Ｘに延在する面にて切断した状態の断面図を示す。
分離隔壁３００は、第２方向２００Ｘ上の端部として、内壁部２２１とは接続されない端部である開放端部３１０と、内壁部２２１に接続される端部である接続端部２２０とを有する。また、第１方向２００Ｙ上の面として、上側方向２００Ｕに位置する面である第１隔壁面３００Ｕと、第１隔壁面３００Ｕと対向する面である第２隔壁面３００Ｄとを有する。この開放端部３１０が、本発明に係る「開放端部」の一例である。この第１隔壁面３００Ｕが、本発明に係る「第１隔壁面」の一例である。この第２隔壁面３００Ｄが、本発明に係る「第２隔壁面」の一例である。
【００２７】
なお、上述の通り、分離隔壁３００における第２方向２００Ｘ上の端部は、内壁部２２１との接続状態において、開放端部３１０と接続端部２２０とに規定される。一方、分離隔壁３００における第２方向２００Ｘ上の端部は、内壁部２２１との距離によっても規定することができる。すなわち、内壁部２２１に近接した端部を近接端部３４０と規定し、近接端部３４０よりも内壁部２２１から離間した端部を離間端部３３０と規定することができる。この近接端部３４０が、本発明に係る「近接端部」の一例である。この離間端部３３０が、本発明に係る「離間端部」の一例である。
【００２８】
本発明の実施形態に係るパッケージ１００において、分離隔壁３００の第１隔壁面３００Ｕは、第２方向２００Ｘの延在成分を有する。また、分離隔壁３００の第２隔壁面３００Ｄは、第２方向２００Ｙの延在成分を有する。一方、後述するとおり、分離隔壁３００の第１隔壁面３００Ｕと第２隔壁面３００Ｄとは、種々の構成をとり得る。
なお、分離隔壁３００の第３方向２００Ｚ上の両端部は、内壁部２２１にそれぞれ接続されている。
【００２９】
収容領域２１０は、第１隔壁面３００Ｕ上における領域である分離隔壁上領域２１０Ｕと、分離隔壁上領域２１０Ｕ以外の領域である分離隔壁外領域２１０Ｅとを有する。「第１隔壁面３００Ｕ上における領域」とは、分離隔壁３００における第２方向２００Ｘ上の両端をそれぞれ通過する第１方向２００Ｙと平行な二つの仮想線に挟まれた領域において、第１隔壁面３００Ｕよりも上側方向２００Ｕの方向に位置する領域を示す。この意味において、収容領域２１０は、第２隔壁面下における分離隔壁下領域２１０Ｄを有する。この分離隔壁下領域２１０Ｄは、分離隔壁外領域２１０Ｅに含まれる領域である。この分離隔壁上領域２１０Ｕが、本発明に係る「分離隔壁上領域」の一例である。この分離隔壁外領域２１０Ｅが、本発明に係る「分離隔壁外領域」の一例である。
【００３０】
収容容器２００は、第２方向２００Ｘにおいて、分離隔壁３００の近接端部３４０から見て離間端部３３０が存在する方向側の領域である第１収容容器領域２１１を有する。また、収容容器２００は、第２方向２００Ｘにおいて、分離隔壁３００の離間端部３３０から見て近接端部３４０が存在する方向側の領域である第２収容容器領域２１２を有する。また、収容容器２００は、第２方向２００Ｘにおいて、中間点を含む領域である第３収容容器領域２１３を有する。すなわち、第３収容容器領域２１３は、第１収容容器領域２１１と、第２収容容器領域２１２とに挟まれた領域となる。なお、後述するとおり、一つの収容容器２００に分離隔壁３００が複数個形成される場合がある。このような場合は、任意に選択した一つの分離隔壁３００に基づき、第１収容容器領域２１１と、第２収容容器領域２１２と、第３収容容器領域２１３とを規定することができる。この第１収容容器領域２１１が、本発明に係る「第１収容容器領域」の一例である。この第２収容容器領域２１２が、本発明に係る「第２収容容器領域」の一例である。この第３収容容器領域２１３が、本発明に係る「第３収容容器領域」の一例である。
【００３１】
収容容器２００は、動物用排泄物処理材７００を取出すための開口部４００を有する。開口部４００は、収容容器２００に形成される領域において、分離隔壁３００が形成されない領域に配置されることが好ましい。すなわち、開口部４００は、第１収容容器領域２１１もしくは第３収容容器領域２１３に形成される。
【００３２】
収容容器２００は、収容容器２００を把持するための把持部５００を有する。把持部５００は、収容容器２００に形成される領域において、分離隔壁３００が形成されるとともに、開口部４００が形成されない領域に配置されることが好ましい。すなわち、開口部４００が第１収容容器領域２１１に形成される場合、把持部５００は第２収容容器領域２１２もしくは第３収容容器領域２１３に形成される。また、開口部４００が第３収容容器領域２１３に形成される場合は、把持部５００は第２収容容器領域２１３に形成される。なお、本発明の実施形態に係るパッケージ１００においては、把持部５００は第１把持部５０１と第２把持部５０２とにより形成される。一方、把持部５００として単一の構造とすることができる。把持部５００の構成としては、ユーザが把持可能であればどのような構成でも良い。把持部５００は、この種のユーザに把持される構成における周知の構成を適宜選択することができる。
【００３３】
なお、収容容器２００としては、合成樹脂や段ボールなどの素材を適宜使用することができる。また、収容容器２００と分離隔壁３００とを一体形成することができる。さらに、収容容器２００と分離隔壁３００とをそれぞれ独立して形成した後、接着等の手段により収容容器２００と分離隔壁３００とを固定することも可能である。
【００３４】
図３は、本発明に係る動物用排泄物処理材７００を示す図である。動物用排泄物処理材７００としては、収容容器２００に複数個が配置されれば足りる。すなわち、動物用排泄物処理材７００は、種々提案されている周知の動物用排泄物処理材７００を適宜使用することができる。例えば、動物用排泄物処理材７００としては、動物の排泄物を吸収するもの、動物の排泄物を吸収するとともに粘性を発現し、複数の動物用排泄処理材７００同士が接着するもの、吸収性を有するシート状部材と組み合わせて使用されるもの等を選択することができる。なお、ここでいう「排泄物」は、屎尿のみならず、唾液や経血等の体液も広く包含する趣旨である。
【００３５】
したがって、動物用排泄物処理材７００は、形状や素材も周知の構成を適宜選択することができる。例えば、図３には円柱形状の動物用排泄物処理材７００が開示されているが、球状、楕円形、多角形による柱状のものなど、様々な形状を選択し得る。
この周知の動物用排泄物処理材７００としては、猫用のものが特に多く提案されている。よって、本発明に係るパッケージ１００は、特に猫用として好適である。
【００３６】
なお、複数の動物用排泄物処理材７００が収容容器２００に収容された状態においては、動物用排泄物処理材７００は、分離隔壁上領域２１０Ｕに配置される第１粒状体７０１と、分離隔壁外領域２１０Ｅに収容される第２粒状体７０２とを有する。この際、第１粒状体７０１と第２粒状体７０２とは、平均粒度がほぼ同じものを選択することができる。一方、第１粒状体７０１の平均粒度を、第２粒状体７０２の平均粒度よりも大きくすることも可能である。
【００３７】
このように形成されたパッケージ１００の作用を、図４に基づき説明する。なお、パッケージ１００に配置された動物用排泄物処理材７００は、ユーザにより別途設けられる受け容器（図示せず）内に配置される。パッケージ１００は、受け容器に対し４回充填可能な動物用排泄物処理材７００の量が配置されているものとする。
【００３８】
収容容器２００に配置された動物用排泄物処理材７００は、その配置位置に基づき複数の領域を形成する。まず、動物用排泄物処理材７００は、分離隔壁上領域２１０Ｕを含む領域に配置される第１粒状体領域７１０を形成する。また、動物用排泄物処理材７００は、第１粒状体領域７１０における第１収容容器領域２１１側の領域と隣接する領域において、第１方向２００Ｙへ延びる領域である第２粒状体領域７２０を有する。また、動物用概説物処理材７００は、分離隔壁下領域２１０Ｄを含む領域と、第２粒状体領域７２０における第１収容容器領域２１１側の領域と隣接する領域において第１方向２００Ｙへ延びる領域とにより形成される第３粒状体領域７３０を有する。すなわち、第３粒状領域７３０は、第２方向２００Ｘにおける第２粒状体領域７２０の両端領域を含むものである。また、動物用排泄物処理材７００は、第３粒状体領域７３０における第１収容容器領域２１１側の領域と隣接するとともに第１方向２００Ｙへ延びる領域である第４粒状体領域７４０を有する。また、動物用排泄物処理材７００は、第４粒状体領域７４０における第１収容容器領域２１１側の領域と隣接するとともに第１方向２００Ｙへ延びる省域である第５粒状体領域７５０を有する。
【００３９】
なお、収容容器２００に対する動物用排泄物処理材７００の充填作業においては、第１粒状体領域７１０に配置される動物用排泄物処理材７００が最後に充填される。この際、第１粒状体領域７１０に配置される動物用排泄物処理材７００としては、粒度に大きなバラつきの無いものが選択される。
【００４０】
ここで、パッケージ１００には、製造者による出荷作業や、ユーザによる購入時の運搬作業により振動が加えられているものとする。したがって、上側方向２００Ｕの動物用排泄物処理材７００の方が、下側方向２００Ｄの動物用排泄物処理材７００に比して大きい平均粒度を有する配置形態となっている。
一方、このような状態であっても、第１粒状体領域７１０においては、粒度に大きなバラつきが無いものが選択されている。よって、パッケージ１００に振動が加えられた状態においても、第１粒状体領域７１０における上側方向２００Ｕと下側方向２００Ｄとの平均的な粒度の大きさは、他の粒状体における粒度の差と比して小さいものとなる。
【００４１】
このような状態において、ユーザは、開口部４００から動物用排泄物処理材７００を取出すために、把持部５００を把持するとともに収容容器２００を傾ける。すると、受け容器に対する１回目の充填作業として、第１粒状体領域７１０に配置された動物用排泄物処理材７００の一部と、第２粒状体領域７２０に配置された動物用排泄物処理材７００とが受け容器に充填される。
受け容器に配置された動物用排泄物処理材７００に対し、動物が排泄を行った場合、受け容器に配置された動物用排泄物処理材７００を廃棄する。そして、新たな動物用排泄物処理材７００を受け容器に充填する。
すなわち、受け容器に対する２回目の充填作業としては、第１粒状体領域７１０に配置された動物用排泄物処理材７００の一部と、第３粒状体領域７３０に配置された動物用排泄物処理材７００とが受け容器に充填される。
【００４２】
このようにして、受け容器に配置された動物用排泄物処理材７００の交換作業が繰り返される。なお、受け容器に対する第３回目の充填作業としては、第１粒状体領域７１０に配置された動物用排泄物処理材７００の一部と、第４粒状体領域７４０に配置された動物用排泄物処理材７００とが受け容器に充填される。また、受け容器に対する第４回目の充填作業としては、第１粒状体領域７１０に配置された動物用排泄物処理材７００の一部と、第５粒状体領域７５０に配置された動物用排泄物処理材７００とが受け容器に充填される。
【００４３】
すなわち、いずれの受け容器に対する動物用排泄物処理材７００の充填作業においても、第１粒状体領域７１０に配置された動物用排泄物処理材７００が含まれることとなる。前述した通り、第１粒状体領域７１０の動物用排泄物処理材７００は、上側方向２００Ｕと下側方向２００Ｄにおいて、粒度のバラつきが少ないものである。よって、複数の充填作業において、受け容器に配置される動物用排泄物処理材７００における粒径のバラつきを緩和することが可能となる。
なお、上述した第２粒状領域７２０〜第５粒状領域７５０においては、あくまでも理論上の領域である。よって、実際の製品においては、動物用排泄物処理材７００は必ずしも上述と同様の領域を形成し、同様の順番で収容容器２００から取り出されるとは限らないものである。
【００４４】
（変形例）
本発明に係るパッケージ１００においては、達成しようとする収容容器２００の構成や、分離隔壁３００の構成や、収容容器２００に充填される動物用排泄物処理材７００の構成により、種々の変形例を形成することができる。以下、図５〜図２２に基づき、本発明に係る第１変形例〜第１７変形例を説明する。なお、第１変形例〜第１７変形例の説明において、上記した基本構成に係るパッケージ１００と同様の構成を有する構成要素や、他の変形例と同様の構成を有する構成要素は、その説明、図面符号などを省略する。
【００４５】
（第１変形例）
第１変形例に係るパッケージ１１００を、図５に基づき説明する。第１変形例に係るパッケージ１１００は、上述した実施形態に係るパッケージ１００と比して、収容容器の構成が異なる。すなわち、第１変形例に係る収容容器１２００の分離隔壁３００において、第２方向２００Ｘ上の両端部は、内壁部２２１と接続しない。よって、収容容器１２００の分離隔壁３００において、第２方向２００Ｘ上の両端部は、接続端部３２０を形成せずに、開放端部３１０のみを形成する。
なお、収容容器１２００には分離隔壁３００が形成されているため、分離隔壁上領域２１０Ｕが形成される。よって、第１変形例に係るパッケージ１１００は、実施形態１００に係るパッケージと同様の作用および効果を奏する。
【００４６】
（第２変形例）
第２変形例に係るパッケージ２１００を、図６に基づき説明する。第２変形例に係るパッケージ２１００は、上述した実施形態に係るパッケージ１００と比して、収容容器の構成が異なる。すなわち、第２変形例に係る収容容器２２００の分離隔壁３００は、第１分離隔壁３０１と第２分離隔壁３０２とを有する。第１分離隔壁３０１は、第２分離隔壁３０２よりも上側方向２００Ｕに設けられている。なお、第１分離隔壁３０１の第２方向２００Ｘにおける長さは、第２分離隔壁３０２よりも短く形成されている。
なお、収容容器２２００には第１分離隔壁３０１と第２分離隔壁３０２のそれぞれに分離隔壁上領域２１０Ｕが形成される。よって、第２変形例に係るパッケージ２１００は、実施形態１００に係るパッケージと同様の作用および効果を奏する。
なお、この第２変形例に係るパッケージ２１００においては、分離隔壁３００が２カ所設けられている例を説明した。一方、本発明においては、分離隔壁３００を複数設けることが可能であり、分離隔壁３００を２カ所以上設けることもできる。
【００４７】
（第３変形例）
第３変形例に係るパッケージ３１００を、図７に基づき説明する。第３変形例に係るパッケージ３１００は、上述した実施形態に係るパッケージ１００と比して、収容容器の構成が異なる。すなわち、第３変形例に係る収容容器３２００の分離隔壁３００は、第１分離隔壁３０１と第２分離隔壁３０２とを有する。第１分離隔壁３０１は、第２分離隔壁３０２よりも上側方向２００Ｕに設けられている。なお、第１分離隔壁３０１の第２方向２００Ｘにおける長さは、第２分離隔壁３０２よりも長く形成されている。
なお、収容容器３２００には第１分離隔壁３０１と第２分離隔壁３０２のそれぞれに分離隔壁上領域２１０Ｕが形成される。よって、第３変形例に係るパッケージ３１００は、実施形態１００に係るパッケージと同様の作用および効果を奏する。
【００４８】
（第４変形例）
第４変形例に係るパッケージ４１００を、図８に基づき説明する。第４変形例に係るパッケージ４１００は、上述した実施形態に係るパッケージ１００と比して、収容容器の構成が異なる。すなわち、第４変形例に係る収容容器４２００の分離隔壁３００は、第１分離隔壁３０１と第２分離隔壁３０２とを有する。第１分離隔壁３０１は、第２分離隔壁３０２よりも上側方向２００Ｕに設けられている。なお、第１分離隔壁３０１における第２方向２００Ｘ上の両端部は、内壁部２２１に対し接続端部３２０と開放端部３１０とを形成する。一方、第２分離隔壁３０２における第２方向２００Ｘ上の両端部は、内壁部２２１に対し接続されていない。よって、第２分離隔壁３０２における第２方向上の両端部は、双方とも開放端部３１０を形成する。
なお、収容容器４２００には第１分離隔壁３０１と第２分離隔壁３０２のそれぞれに分離隔壁上領域２１０Ｕが形成される。よって、第４変形例に係るパッケージ４１００は、実施形態１００に係るパッケージと同様の作用および効果を奏する。
【００４９】
（第５変形例）
第５変形例に係るパッケージ５１００を、図９に基づき説明する。第５変形例に係るパッケージ５１００は、上述した実施形態に係るパッケージ１００と比して、収容容器の構成が異なる。すなわち、第５変形例に係る収容容器５２００の分離隔壁３００は、第１分離隔壁３０１と第２分離隔壁３０２とを有する。第１分離隔壁３０１は、第２分離隔壁３０２よりも上側方向２００Ｕに設けられている。なお、第１分離隔壁３０１における第２方向２００Ｘ上の両端部は、内壁部２２１に対し接続されていない。よって、第１分離隔壁３０２における第２方向上の両端部は、双方とも開放端部３１０を形成する。一方、第２分離隔壁３０２における第２方向２００Ｘ上の両端部は、内壁部２２１に対し接続端部３２０と開放端部３１０とを形成する。
なお、収容容器５２００には第１分離隔壁３０１と第２分離隔壁３０２のそれぞれに分離隔壁上領域２１０Ｕが形成される。よって、第５変形例に係るパッケージ５１００は、実施形態１００に係るパッケージと同様の作用および効果を奏する。
【００５０】
（第６変形例）
第６変形例に係るパッケージ６１００を、図１０に基づき説明する。第６変形例に係るパッケージ６１００は、上述した実施形態に係るパッケージ１００と比して、収容容器の構成が異なる。すなわち、第６変形例に係る収容容器６２００の分離隔壁３００は、第１分離隔壁３０１と第２分離隔壁３０２とを有する。第１分離隔壁３０１と第２分離隔壁３０２とは、第２方向２００Ｘにおいて、同一線上に配置されている。また、第１分離隔壁３０１と、第２分離隔壁３０２とにおける第２方向上の両端部は、ともに内壁部２２１に対して接続端部３２０と開放端部３１０とを形成する。
なお、収容容器６２００には第１分離隔壁３０１と第２分離隔壁３０２のそれぞれに分離隔壁上領域２１０Ｕが形成される。よって、第６変形例に係るパッケージ６１００は、実施形態１００に係るパッケージと同様の作用および効果を奏する。
【００５１】
（第７変形例）
第７変形例に係るパッケージ７１００を、図１１に基づき説明する。第７変形例に係るパッケージ７１００は、上述した実施形態に係るパッケージ１００と比して、収容容器の構成が異なる。すなわち、第７変形例に係る収容容器７２００の分離隔壁３００は、第２隔壁面３００Ｄが第２方向２００Ｘに対して傾斜成分を有する。より具体的には、第２隔壁面３００Ｄの第２方向２００Ｘに対する傾斜成分は、接続端部３２０（近接端部３４０）から開放端部３１０（離間端部３３０）に向かうに従い、下側方向２００Ｄから上側方向２００Ｕへ向かうものである。なお、本発明において「方向の傾斜成分」とは、ある方向に対して傾斜する要素を有することを示す。この際、ある方向に対し、要素が必ず傾斜している領域を有する必要はなく、要素の全体構成がある方向に対して傾斜していれば足りるものである。例えば、第７変形例における収容容器７２００の第２隔壁面３００Ｄが階段のような構成を示している場合を想定する。この際、「階段」は第１方向２００Ｙと第２方向２００Ｘのそれぞれに平行な要素のみで形成されている。一方、このような場合であっても、「階段」を全体的に考えた場合は、第２方向２００Ｘに対し傾斜を構成するものである。よって、このような「階段」であっても、第２隔壁面３００Ｄ全体は第２方向２００Ｘに対し傾斜成分を有すると考えることができる。
なお、収容容器７２００は、分離隔壁３００により分離隔壁上領域２１０Ｕが形成される。よって、第７変形例に係るパッケージ７１００は、実施形態１００に係るパッケージと同様の作用および効果を奏する。
【００５２】
（第８変形例）
第８変形例に係るパッケージ８１００を、図１２に基づき説明する。第８変形例に係るパッケージ８１００は、上述した実施形態に係るパッケージ１００と比して、収容容器の構成が異なる。すなわち、第８変形例に係る収容容器８２００の分離隔壁３００は、第１隔壁面３００Ｕが第２方向２００Ｘに対して傾斜成分を有する。より具体的には、第１隔壁面３００Ｕの第２方向２００Ｘに対する傾斜成分は、接続端部３２０（近接端部３４０）から開放端部３１０（離間端部３３０）に向かうに従い、上側方向２００Ｕから下側方向２００Ｄへ向かうものである。
なお、収容容器８２００は、分離隔壁３００により分離隔壁上領域２１０Ｕが形成される。よって、第８変形例に係るパッケージ８１００は、実施形態１００に係るパッケージと同様の作用および効果を奏する。
【００５３】
（第９変形例）
第９変形例に係るパッケージ９１００を、図１３に基づき説明する。第９変形例に係るパッケージ９１００は、上述した実施形態に係るパッケージ１００と比して、収容容器の構成が異なる。すなわち、第９変形例に係る収容容器９２００の分離隔壁３００は、第１隔壁面３００Ｕと第２隔壁面３００Ｄの双方が、第２方向２００Ｘに対して傾斜成分を有する。より具体的には、第１隔壁面３００Ｕの第２方向２００Ｘに対する傾斜成分は、接続端部３２０（近接端部３４０）から開放端部３１０（離間端部３３０）に向かうに従い、上側方向２００Ｕから下側方向２００Ｄへ向かうものである。また、第２隔壁面３００Ｄの第２方向２００Ｘに対する傾斜成分は、接続端部３２０（近接端部３４０）から開放端部３１０（離間端部３３０）に向かうに従い、下側方向２００Ｄから上側方向２００Ｕへ向かうものである。
なお、収容容器９２００は、分離隔壁３００により分離隔壁上領域２１０Ｕが形成される。よって、第９変形例に係るパッケージ９１００は、実施形態１００に係るパッケージと同様の作用および効果を奏する。
【００５４】
（第１０変形例）
第１０変形例に係るパッケージ１０１００を、図１４および図１５に基づき説明する。第１０変形例に係るパッケージ１０１００は、上述した実施形態に係るパッケージ１００と比して、収容容器の構成が異なる。すなわち、第１０変形例に係る収容容器１０２００の分離隔壁３００は、第１隔壁面３００Ｕと第２隔壁面３００Ｄの双方が、第２方向２００Ｘに対して傾斜成分を有する。より具体的には、第１隔壁面３００Ｕの第２方向２００Ｘに対する傾斜成分は、接続端部３２０（近接端部３４０）から開放端部３１０（離間端部３３０）に向かうに従い、下側方向２００Ｄから上側方向２００Ｕへ向かうものである。また、第２隔壁面３００Ｄの第２方向２００Ｘに対する傾斜成分は、接続端部３２０（近接端部３４０）から開放端部３１０（離間端部３３０）に向かうに従い、下側方向２００Ｄから上側方向２００Ｕへ向かうものである。このような構成の場合、分離隔壁３００全体が第２方向２００Ｘに対し傾斜成分を有すると言える。
なお、収容容器１０２００は、分離隔壁３００により分離隔壁上領域２１０Ｕが形成される。よって、第１０変形例に係るパッケージ１０１００は、実施形態１００に係るパッケージと同様の作用および効果を奏する。
【００５５】
また、このように分離隔壁３００全体が、接続端部３２０（近接端部３４０）から開放端部３１０（離間端部３３０）に向かうに従い、下側方向２００Ｄから上側方向２００Ｕへ向かう傾斜成分を有する場合の好適な例につき図１９に基づき説明する。
第１隔壁面３００Ｕの接続端部３２０（近接端部３４０）から、最も第１収容容器領域２１１側に位置する開口部４００を通過する直線の内、最短の直線を第１仮想線Ｌ１とする。また、第２隔壁面３００Ｄの接続端部３２０（近接端部３４０）を通過する第２方向２００Ｘと平行な直線を第２仮想線Ｌ２とする。分離隔壁３００の傾斜角度は、第１仮想線Ｌ１と第２仮想線Ｌ２に挟まれた領域内であることが好ましい。すなわち、このような構成であると、収容容器１１１００を傾けた状態であっても、分離隔壁上領域２１０Ｕの動物用排泄物処理材が開口部４００へと流出しにくい構造となる。よって、収容容器１１１００から動物用排泄物処理材を取出す際の初期の段階において、分離隔壁上領域２１０Ｕの動物用排泄物処理材の多くが取り出されてしまうことを防止できる。
【００５６】
（第１１変形例）
第１１変形例に係るパッケージ１１１００を、図１６に基づき説明する。第１１変形例に係るパッケージ１１１００は、上述した実施形態に係るパッケージ１００と比して、収容容器の構成が異なる。すなわち、第１１変形例に係る収容容器１１２００の分離隔壁３００は、第１隔壁面３００Ｕと第２隔壁面３００Ｄの双方が、第２方向２００Ｘに対して傾斜成分を有する。より具体的には、第１隔壁面３００Ｕの第２方向２００Ｘに対する傾斜成分は、接続端部３２０（近接端部３４０）から開放端部３１０（離間端部３３０）に向かうに従い、上側方向２００Ｕから下側方向２００Ｄへ向かうものである。また、第２隔壁面３００Ｄの第２方向２００Ｘに対する傾斜成分は、接続端部３２０（近接端部３４０）から開放端部３１０（離間端部３３０）に向かうに従い、上側方向２００Ｕから下側方向２００Ｄへ向かうものである。このような構成の場合、分離隔壁３００全体が第２方向２００Ｘに対し傾斜成分を有すると言える。
なお、収容容器１１２００は、分離隔壁３００により分離隔壁上領域２１０Ｕが形成される。よって、第１１変形例に係るパッケージ１１１００は、実施形態１００に係るパッケージと同様の作用および効果を奏する。
【００５７】
（第１２変形例）
第１２変形例に係るパッケージ１２１００を、図１７に基づき説明する。第１２変形例に係るパッケージ１２１００は、上述した実施形態に係るパッケージ１００と比して、収容容器の構成が異なる。すなわち、第１２変形例に係る収容容器１２２００は、璧部２２０が凹部２３０を有する。この凹部２３０により、分離隔壁３００が形成される。凹部２３０は、内壁面２２１により形成される上側方向２００Ｕの面を有する。この上側方向２００Ｕの面が、第１隔壁面３００Ｕを形成する。第１隔壁面３００Ｕは、第２方向２００Ｘと平行な直線にて形成される。凹部２３０は、内壁面２２１により形成される下側方向２００Ｄの面を有する。この下側方向２００Ｄの面が、第２隔壁面３００Ｄを形成する。第２隔壁面３００Ｄは、第２方向２００Ｘと平行な直線にて形成される。
なお、収容容器１２２００は、分離隔壁３００により分離隔壁上領域２１０Ｕが形成される。よって、第１２変形例に係るパッケージ１２１００は、実施形態１００に係るパッケージと同様の作用および効果を奏する。
【００５８】
（第１３変形例）
第１３変形例に係るパッケージ１３１００を、図１８に基づき説明する。第１３変形例に係るパッケージ１３１００は、上述した実施形態に係るパッケージ１００と比して、収容容器の構成が異なる。すなわち、第１３変形例に係る収容容器１３２００は、第１２変形例に係る収容容器１２２００と同様に、璧部２２０に形成された凹部２３０により分離隔壁３００が形成される。この際、第１３変形例に係る収容容器１３２００には凹部２３０が２カ所形成されている。この２カ所の凹部２３０により、分離隔壁３００として、第１分離隔壁３０１と第２分離隔壁３０２が形成される。
なお、収容容器１３２００は、分離隔壁３００により分離隔壁上領域２１０Ｕが形成される。よって、第１３変形例に係るパッケージ１３１００は、実施形態１００に係るパッケージと同様の作用および効果を奏する。
また、第１３変形例として凹部２３０による分離隔壁３００が２カ所形成された例を説明した。一方、分離隔壁３００を２カ所以上形成したい場合は、所望の分離隔壁３００の数に応じた凹部２３０を、収容容器に形成することが可能である。
【００５９】
（第１４変形例）
第１４変形例に係るパッケージ１３１００を、図１９に基づき説明する。第１４変形例に係るパッケージ１４１００は、上述した実施形態に係るパッケージ１００と比して、収容容器の構成が異なる。すなわち、第１４変形例に係る収容容器１４２００は、第１２変形例に係る収容容器１２２００と同様に、璧部２２０に形成された凹部２３０により分離隔壁３００が形成される。この際、第１４変形例に係る収容容器１４２００には凹部２３０が２カ所形成されている。この２カ所の凹部２３０により、分離隔壁３００として、第１分離隔壁３０１と第２分離隔壁３０２が形成される。収容容器１４２００における第２隔壁面３００Ｄは、第２方向２００Ｘに対し傾斜成分を有する。第２隔壁面３００Ｄの第２方向２００Ｘに対する傾斜成分は、接続端部３２０（近接端部３４０）から開放端部３１０（離間端部３３０）に向かうに従い、下側方向２００Ｄから上側方向２００Ｕへ向かうものである。
なお、収容容器１４２００は、分離隔壁３００により分離隔壁上領域２１０Ｕが形成される。よって、第１４変形例に係るパッケージ１４１００は、実施形態１００に係るパッケージと同様の作用および効果を奏する。
この第１４変形例に係るパッケージ１４１００に代表されるように、凹部２３０の形状を変更することにより、第１隔壁面３００Ｕや第２隔壁面３００Ｄを第２方向２００Ｘに対し、傾斜成分を有する構成とすることが可能となる。
【００６０】
（第１５変形例）
第１５変形例に係るパッケージ１５１００を、図２０に基づき説明する。第１５変形例に係るパッケージ１５１００は、上述した実施形態に係るパッケージ１００と比して、収容容器の構成が異なる。すなわち、第１５変形例に係る収容容器１５２００は、段ボールにより形成されている。収容容器１５２００の開口部４００は、第１収容容器領域２１１に形成された切欠き部４１０により形成されている。収容容器１５２００の把持部５００は、第２収容容器領域２１２に配置された紐体により形成されている。分離隔壁３００は、第１隔壁面３００Ｕと第２隔壁面３００Ｄを形成する主体部３５０と、収容容器１５２００の内壁面２２１に対し接着される接着部３６０とにより形成される。
なお、収容容器１５２００は、分離隔壁３００により分離隔壁上領域２１０Ｕが形成される。よって、第１５変形例に係るパッケージ１５１００は、実施形態１００に係るパッケージと同様の作用および効果を奏する。
【００６１】
（第１６変形例）
第１６変形例に係るパッケージ１６１００を、図２１に基づき説明する。第１６変形例に係るパッケージ１６１００は、上述した実施形態に係るパッケージ１００と比して、収容容器の構成が異なる。すなわち、第１６変形例に係る収容容器１６２００は、第１５変形例に係る収容容器１５２００と同様に段ボールにより形成されている。第１６変形例に係る収容容器１６２００における上側方向２００Ｕには、片部２４０が形成されている。片部２４０は、収容容器１５２００の上側方向２００Ｕに形成された縁部と同数の数が配置されている。第１６変形例に係る収容容器１６２００においては、４つの片部２４０が形成されている。この片部２４０を収容領域２１０側へ折りたたむことにより、収容容器１６２００の上側方向２００Ｕは閉塞される。一方、４つの片部２４０の折り畳み状態を解除し、それぞれの片部２４０を開放することにより開口部４００が形成される。なお、第１６変形例に係るパッケージ１６１００の分離隔壁３００は、第１５変形例に係るパッケージ１５１００と同様である。
収容容器１６２００は、分離隔壁３００により分離隔壁上領域２１０Ｕが形成される。よって、第１６変形例に係るパッケージ１６１００は、実施形態１００に係るパッケージと同様の作用および効果を奏する。
【００６２】
（第１７変形例）
第１７変形例に係るパッケージ１７１００を、図２２に基づき説明する。第１７変形例に係るパッケージ１７１００は、上述した実施形態に係るパッケージ１００と比して、収容容器の構成が異なる。すなわち、第１７変形例に係る収容容器１７２００は、第１５変形例に係る収容容器１５２００と同様に段ボールにより形成されている。収容容器１７２００は、段ボールによる外側体２５０と、外側体２５０に配置される袋体６００により形成される。よって、外璧部２２２は外側体２５０により形成され、内壁部２２１は袋体６００により形成される。開口部４００は、袋体６００の開口部により形成される。把持部５００は、外側体２５０に形成された孔部により形成される。分離隔壁３００は、第１５変形例に係る収容容器１５２００と同様に、主体部３５０と接着部３６０とにより形成される。接着部３６０は、袋体６００により形成される内壁部２２１に接着される。
収容容器１７２００は、分離隔壁３００により分離隔壁上領域２１０Ｕが形成される。よって、第１７変形例に係るパッケージ１７１００は、実施形態１００に係るパッケージと同様の作用および効果を奏する。
【００６３】
なお、本発明に係る動物用排泄物処理材パッケージおよび動物用排泄物処理材収容容器の構成は上述した構造に限らないものである。実施形態や第１変形例〜第１７変形例に記載されている構成を、適宜組み合わせることは、もちろん可能である。
【００６４】
（実施の形態と本発明の各構成要素の対応について）
パッケージ１００、１１００、２１００、３１００、４１００、５１００、６１００、７１００、８１００、９１００、１０１００、１１１００、１２１００、１３１００、１４１００、１５１００、１６１００、１７１００は、本発明に係る「パッケージ」の一例である。動物用排泄物処理材７００は、本発明に係る「動物用排泄物処理材」の一例である。収容容器２００、１２００、２２００、３２００、４２００、５２００、６２００、７２００、８２００、９２００、１０２００、１１２００、１２２００、１３２００、１４２００、１５２００、１６２００、１７２００は、本発明に係る「収容容器」の一例である。上側方向２００Ｕは、本発明に係る「上側方向」の一例である。下側方向２００Ｄは、本発明に係る「下側方向」の一例である。第１方向２００Ｙは、本発明に係る「第１方向」の一例である。第２方向２００Ｘは、本発明に係る「第２方向」の一例である。内壁部２２１は、本発明に係る「内壁部」の一例である。収容領域２１０は、本発明に係る「収容領域」の一例である。分離隔壁３００は、本発明に係る「分離隔壁」の一例である。開放端部３１０は、本発明に係る「開放端部」の一例である。第１隔壁面３００Ｕは、本発明に係る「第１隔壁面」の一例である。第２隔壁面３００Ｄは、本発明に係る「第２隔壁面」の一例である。近接端部３４０は、本発明に係る「近接端部」の一例である。離間端部３３０は、本発明に係る「離間端部」の一例である。分離隔壁上領域２１０Ｕは、本発明に係る「分離隔壁上領域」の一例である。分離隔壁外領域２１０Ｅは、本発明に係る「分離隔壁外領域」の一例である。第１収容容器領域２１１は、本発明に係る「第１収容容器領域」の一例である。第２収容容器領域２１２は、本発明に係る「第２収容容器領域」の一例である。第３収容容器領域２１３は、本発明に係る「第３収容容器領域」の一例である。
【００６５】
以上の本発明の特質に鑑み、以下の各種の構成態様が構築できる。
（態様１）
粒状体により形成される動物用排泄物処理材と、前記動物用排泄物処理材を複数収容するための収容容器とを有する動物用排泄物処理材パッケージであって、
前記収容容器は、前記収容容器を載置した状態における上側方向と、前記収容容器を載置した状態における下側方向と、前記上側方向と前記下側方向とにより規定される第１方向と、当該第１方向と交差する方向により規定される第２方向とに延在し、
前記収容容器は、複数の前記動物用排泄物処理材を収容するための収容領域と、当該収容領域を形成する内壁部と、前記収容領域に形成されるとともに前記第２方向の延在成分を有する分離隔壁を有することを特徴とする動物用排泄物処理材パッケージ。
【００６６】
（態様２）
態様１に記載された動物用排泄物処理材パッケージであって、
前記分離隔壁は、前記内壁部とは接続されない端部である開放端部と、前記上側方向に位置する面である第１隔壁面と、前記第１隔壁面と対向する面である第２隔壁面とを有することを特徴とする動物用排泄物処理材パッケージ。
【００６７】
（態様３）
態様１または２のいずれか1項に記載された動物用排泄物処理材パッケージであって、
前記収容領域は、前記第１隔壁面上における領域である分離隔壁上領域と、当該分離隔壁上領域以外の領域である分離隔壁外領域とを有することを特徴とする動物用排泄物処理材パッケージ。
【００６８】
（態様４）
態様１〜３のいずれか１項に記載された動物用排泄物処理材パッケージであって、
前記動物用排泄物処理材は、前記分離隔壁上領域に配置される第１粒状体と、前記分離隔壁外領域に収容される第２粒状体とを有し、
前記第１粒状体の平均粒度は、前記第２粒状体の平均粒度よりも大きいことを特徴とする動物用排泄物処理材パッケージ。
【００６９】
（態様５）
態様１〜４のいずれか１項に記載された動物用排泄物処理材パッケージであって、
前記第１隔壁面は、前記第２方向の傾斜成分を有することを特徴とする動物用排泄物処理材パッケージ。
【００７０】
（態様６）
態様１〜５のいずれか１項に記載された動物用排泄物処理材パッケージであって、
前記第２隔壁面は、前記第２方向の傾斜成分を有することを特徴とする動物用排泄物処理材パッケージ。
【００７１】
（態様７）
態様１〜６のいずれか１項に記載された動物用排泄物処理材パッケージであって、
前記分離隔壁は、前記内壁部に近接した端部である近接端部と、前記近接端部よりも前記内壁部から離間した端部である離間端部とを有することを特徴とする動物用排泄物処理材パッケージ。
【００７２】
（態様８）
態様１〜７のいずれか１項に記載された動物用排泄物処理材パッケージであって、
前記収容容器は、前記第２方向において前記近接端部よりも前記離間端部側の領域である第１収容容器領域と、前記第２方向において前記離間端部よりも前記近接端部側の領域である第２収容容器領域と、前記第２方向における中間点を含む領域である第３収容容器領域とを有することを特徴とする動物用排泄物処理材パッケージ。
【００７３】
（態様９）
態様１〜８のいずれか１項に記載された動物用排泄物処理材パッケージであって、
前記収容容器は、前記動物用排泄物処理材を取出すための開口部を有することを特徴とする動物用排泄物処理材パッケージ。
【００７４】
（態様１０）
態様９に記載された動物用排泄物処理材パッケージにおいて、
前記開口部は、前記第１収容容器領域に形成されていることを特徴とする動物用排泄物処理材パッケージ。
【００７５】
（態様１１）
態様９に記載された動物用排泄物処理材パッケージにおいて、
前記開口部は、前記第３収容容器領域に形成されていることを特徴とする動物用排泄物処理材パッケージ。
【００７６】
（態様１２）
態様１〜９のいずれか１項に記載された動物用排泄物処理材パッケージであって、
前記収容容器は、前記収容容器を把持するための把持部を有することを特徴とする動物用排泄物処理材パッケージ。
【００７７】
（態様１３）
態様１２に記載された動物用排泄物処理材パッケージであって、
前記把持部は、前記第２収容容器領域に形成されていることを特徴とする動物用排泄物処理材パッケージ。
【００７８】
（態様１４）
態様１２に記載された動物用排泄物処理材パッケージであって、
前記把持部は、前記第３収容容器領域に形成されていることを特徴とする動物用排泄物処理材パッケージ。
【００７９】
（態様１５）
態様１〜１４のいずれか１項に記載された動物用排泄物処理材パッケージであって、
前記分離隔壁は、複数個設けられることを特徴とする動物用排泄物処理材パッケージ。
【００８０】
（態様１６）
態様１〜１５のいずれか１項に記載された動物用排泄物処理材パッケージであって、
前記分離隔壁は、前記内壁部と一体的に成形されていることを特徴とする動物用排泄物処理材パッケージ。
【００８１】
（態様１７）
態様１〜１５のいずれか１項に記載された動物用排泄物処理材パッケージであって、
前記分離隔壁は、前記内壁部に対して接着されることにより形成されることを特徴とする動物用排泄物処理材パッケージ。
【００８２】
（態様１８）
態様１〜１７のいずれか１項に記載された動物用排泄物処理材パッケージであって、
前記動物用排泄物処理材が、猫用であることを特徴とする動物用排泄物処理材パッケージ。
【００８３】
（態様１９）
粒状体により形成される動物用排泄物処理材を複数収容するための動物用排泄物処理材収容容器であって、
前記動物用排泄物処理材収容容器は、前記動物用排泄物処理材収容容器を載置した状態における上側方向と、前記動物用排泄物処理材収容容器を載置した状態における下側方向と、前記上側方向と前記下側方向とにより規定される第１方向と、当該第１方向と交差する方向により規定される第２方向とに延在し、
前記動物用排泄物処理材収容容器は、複数の前記動物用排泄物処理材を収容するための収容領域と、当該収容領域を形成する内壁部と、前記収容領域に形成されるとともに前記第２方向の延在成分を有する分離隔壁を有することを特徴とする動物用排泄物処理材収容容器。
【符号の説明】
【００８４】
１００、１１００、２１００、３１００、４１００、５１００、６１００、７１００、８１００、９１００、１０１００、１１１００、１２１００、１３１００、１４１００、１５１００、１６１００、１７１００  パッケージ（動物用排泄物処理材パッケージ）
２００、１２００、２２００、３２００、４２００、５２００、６２００、７２００、８２００、９２００、１０２００、１１２００、１２２００、１３２００、１４２００、１５２００、１６２００、１７２００  収容容器
２００Ｕ  上側方向
２００Ｄ  下側方向
２００Ｙ  第１方向
２００Ｘ  第２方向
２００Ｚ  第３方向
２１０  収容領域
２１０Ｅ  分離隔壁外領域
２１０Ｕ  分離隔壁上領域
２１０Ｄ  分離隔壁下領域
２１１  第１収容容器領域
２１２  第２収容容器領域
２１３  第３収容容器領域
２２０  璧部
２２１  内壁部
２２２  外壁部
２３０  凹部
２４０  片部
２５０  外側体
３００  分離隔壁
３００Ｕ  第１隔壁面
３００Ｄ  第２隔壁面
３０１  第１分離隔壁
３０２  第２分離隔壁
３１０  開放端部
３２０  接続端部
３３０  離間端部
３４０  近接端部
３５０  主体部
３６０  接着部
４００  開口部
４１０  切欠き部
５００  把持部
５０１  第１把持部
５０２  第２把持部
６００  袋体
７００  粒状体
７０１  第１粒状体
７０２  第２粒状体
７１０  第１粒状体領域
７２０  第２粒状体領域
７３０  第３粒状体領域
７４０  第４粒状体領域
７５０  第５粒状体領域
Ｌ１  第１仮想線
Ｌ２  第２仮想線
【図１】
2014239668.tif 000003
【図２】
2014239668.tif 000004
【図３】
2014239668.tif 000005
【図４】
2014239668.tif 000006
【図５】
2014239668.tif 000007
【図６】
2014239668.tif 000008
【図７】
2014239668.tif 000009
【図８】
2014239668.tif 000010
【図９】
2014239668.tif 000011
【図１０】
2014239668.tif 000012
【図１１】
2014239668.tif 000013
【図１２】
2014239668.tif 000014
【図１３】
2014239668.tif 000015
【図１４】
2014239668.tif 000016
【図１５】
2014239668.tif 000017
【図１６】
2014239668.tif 000018
【図１７】
2014239668.tif 000019
【図１８】
2014239668.tif 000020
【図１９】
2014239668.tif 000021
【図２０】
2014239668.tif 000022
【図２１】
2014239668.tif 000023
【図２２】
2014239668.tif 000024